(57)【要約】【課題】情報の信頼性と情報の地域網羅性を兼ね備えた地域情報の配信を行うこと。【解決手段】第１端末装置は、所定のタイミングで、現在位置を示す端末現在位置情報を取得している。また、ユーザから入力される地域情報及び地域識別情報に加えて、１又は複数の端末現在位置情報を含む端末所在情報を地域情報配信装置４０に送信する。地域情報配信装置４０は、第１端末装置から送信される地域情報、地域識別情報及び端末所在情報を受信する。信頼性判定部７２は、受信された地域識別情報と端末所在情報に含まれるいずれかの端末現在位置情報とに基づいて、受信された地域情報の信頼性を判定する。情報配信部７６は、受信された地域識別情報に基づいて端末情報記憶部７４より端末識別情報を読み出すとともに、信頼性判定部７２による判定結果に基づいて、当該端末識別情報により識別される１又は複数の第２端末装置に対する地域情報の配信を制御する。【選択図】図３
2007300168.tif 000002
【特許請求の範囲】
【請求項１】
地域情報配信装置にいずれかの地域に係る地域情報と該地域を識別する地域識別情報とを送信する情報送信手段を備える１又は複数の第１端末装置と、
いずれかの前記第１端末装置から送信される前記地域情報と前記地域識別情報とを受信する情報受信手段と、第２端末装置を識別する端末識別情報に関連付けて１又は複数の地域識別情報を記憶する端末情報記憶手段と、前記受信された地域識別情報に基づいて前記端末情報記憶手段より読み出される端末識別情報により識別される１又は複数の第２端末装置に、前記受信された地域情報を配信する情報配信手段と、を備える地域情報配信装置と、
を含む地域情報配信システムであって、
前記第１端末装置は、
前記第１端末装置の現在位置を示す端末現在位置情報を取得する現在位置情報取得手段を含み、
前記情報送信手段は、前記現在位置情報取得手段により取得される１又は複数の端末現在位置情報を含む端末所在情報をさらに送信し、
前記情報受信手段は、前記情報送信手段により送信される端末所在情報をさらに受信し、
前記地域情報配信装置は、
前記受信された地域識別情報と前記受信された端末所在情報に含まれるいずれかの端末現在位置情報とに基づいて、前記受信された地域情報の信頼性を判定する信頼性判定手段を含み、
前記情報配信手段は、前記信頼性判定手段による判定結果に基づいて、前記受信された地域情報の配信を制御する、
ことを特徴とする地域情報配信システム。
【請求項２】
請求項１に記載の地域情報配信システムにおいて、
前記信頼性判定手段は、前記受信された地域識別情報と前記受信された端末所在情報に含まれるいずれかの端末現在位置情報とが対応するか否かに応じて、前記受信された地域情報の信頼性を判定する、
ことを特徴とする地域情報配信システム。
【請求項３】
請求項２に記載の地域情報配信システムにおいて、
前記端末所在情報は、前記各端末現在位置情報に関連付けて、該端末現在位置情報が取得された時刻を示す端末時刻情報をさらに含み、
前記情報送信手段は、前記地域情報に係る時刻情報をさらに送信し、
前記情報受信手段は、前記情報送信手段により送信される時刻情報をさらに受信し、
前記信頼性判定手段は、前記受信された地域識別情報と時刻情報の組み合わせと前記受信された端末所在情報に含まれる端末現在位置情報と端末時刻情報のいずれかの組み合わせとが対応するか否かに応じて、前記受信された地域情報の信頼性を判定する、
ことを特徴とする地域情報配信システム。
【請求項４】
請求項１乃至３のいずれかに記載の地域情報配信システムにおいて、
前記情報配信手段は、前記信頼性判定手段により前記地域情報の信頼性が所定閾値以上であると判定される場合に、該地域情報を配信する、
ことを特徴とする地域情報配信システム。
【請求項５】
請求項１乃至３のいずれかに記載の地域情報配信システムにおいて、
前記情報配信手段は、前記受信された地域情報とともに前記信頼性判定手段により判定される該地域情報の信頼性を示す信頼性情報を配信する、
ことを特徴とする地域情報配信システム。
【請求項６】
いずれかの第１端末装置から送信されるいずれかの地域に係る地域情報と該地域を識別する地域識別情報とを受信する情報受信手段と、第２端末装置を識別する端末識別情報に関連付けて１又は複数の位置情報を記憶する端末情報記憶手段と、前記受信された地域識別情報に基づいて前記端末情報記憶手段より読み出される端末識別情報により識別される１又は複数の第２端末装置に、前記受信された地域情報を配信する情報配信手段と、を備える地域情報配信装置であって、
前記情報受信手段は、前記第１端末装置の現在位置を示す１又は複数の端末現在位置情報を含む端末所在情報をさらに受信し、
前記受信された地域識別情報と前記受信された端末所在情報に含まれるいずれかの端末現在位置情報とに基づいて、前記受信された地域情報の信頼性を判定する信頼性判定手段を含み、
前記情報配信手段は、前記信頼性判定手段による判定結果に基づいて、前記受信された地域情報の配信を制御する、
ことを特徴とする地域情報配信装置。
【請求項７】
地域情報配信装置にいずれかの地域に係る地域情報と該地域を識別する地域識別情報とを送信する情報送信手段を備える端末装置であって、
前記端末装置の現在位置を示す現在位置情報を取得する現在位置情報取得手段を含み、
前記情報送信手段は、前記地域情報に関連付けて、前記位置情報取得手段により取得される１又は複数の現在位置情報を含む端末所在情報をさらに送信する、
ことを特徴とする端末装置。
【請求項８】
第１端末装置からいずれかの地域に係る地域情報と該地域を識別する地域識別情報とを取得する情報取得ステップと、第２端末装置を識別する端末識別情報に関連付けて１又は複数の地域識別情報を端末情報記憶手段に記憶させるステップと、前記取得された地域識別情報に基づいて前記端末情報記憶手段から読み出される端末識別情報により識別される１又は複数の第２端末装置に、前記取得された地域情報を配信する情報配信ステップと、を備える地域情報配信制御方法であって、
第１端末装置の現在位置を示す端末現在位置情報を取得する現在位置情報取得ステップと、
前記情報取得ステップにおいて取得された地域識別情報と前記現在位置情報取得ステップにおいて取得された１又は複数の端末現在位置情報とに基づいて、前記情報取得ステップにおいて取得された地域情報の信頼性を判定する信頼性判定ステップと、
を含み、
前記情報配信ステップは、前記信頼性判定ステップにおける判定結果に基づいて、前記情報取得ステップにおいて取得された地域情報の配信を制御する、
ことを特徴とする地域情報配信制御方法。
【発明の詳細な説明】
【技術分野】
【０００１】
本発明は、地域情報配信システム、地域情報配信装置、端末装置及び地域情報配信制御方法に関し、特に、端末装置から送信される地域情報を１又は複数の他の端末装置に配信する情報配信技術に関する。
【背景技術】
【０００２】
従来、携帯電話やＰＨＳ（Personal Handy-phone System）等に、気象情報等の特定地域に関連した情報（以下、地域情報）を提供するサービスが行われている。地域情報の中でも、特に、自宅又は実家周辺で発生した事故、事件及び災害等については、できるだけ早く詳細かつ正確な情報が提供される必要がある。
【０００３】
例えば、下記特許文献１には、災害が発生した場合又は災害が発生する危険がある場合に、当該災害に係る情報が災害管理サーバから利用者の端末装置に送信される災害情報サービスシステムが開示されている。当該システムにおける災害管理サーバは、端末装置の利用者の所在地情報と当該端末装置の識別符号とを関連付けて記憶している。そして、災害場所情報を含む災害情報を取得（例えば消防本部等の消防機関や一般市民等からの通報を受信）すると、当該災害情報に基づいて情報提供範囲を設定するとともに、当該情報提供範囲内に所在地を持つ利用者に対応する端末装置の識別符号を取得して、当該識別符号により識別される端末装置に対して当該災害情報を送信する。これにより、災害の影響を受ける周辺住民等が有する端末装置に災害情報が迅速かつ的確に送信されるようになる。
【特許文献１】特開２００２−２４５５７９号公報
【発明の開示】
【発明が解決しようとする課題】
【０００４】
しかしながら、上記特許文献１の技術では、情報の信頼性と情報の地域網羅性を兼ね備えた地域情報の配信をすることは困難であった。
【０００５】
すなわち、消防機関や地方自治体から得られる情報は、内容の信頼性は高いものの、地域網羅性が十分であるとは言えない。情報の提供単位が比較的広範囲な市町村レベルとなることが多い上、必ずしもすべての地域において情報取得体制が整備されているとは限らないからである。
【０００６】
これに対して、一般市民等から得られる情報は、情報提供者が多いため情報量や地域網羅性の面で優れているが、情報の正確さについては若干信頼性に欠ける。情報提供者が勘違いにより誤った情報を提供する場合もあれば、情報の攪乱を目的として偽の情報を提供する場合もあるからである。
【０００７】
本発明は、上記従来の課題に鑑みてなされたものであり、情報の信頼性と情報の地域網羅性を兼ね備えた地域情報の配信を行うことができる地域情報配信システム、地域情報配信装置、端末装置及び地域情報配信制御方法を提供することを目的とする。
【課題を解決するための手段】
【０００８】
上記目的を達成するために、本発明に係る地域情報配信システムは、地域情報配信装置にいずれかの地域に係る地域情報と該地域を識別する地域識別情報とを送信する情報送信手段を備える１又は複数の第１端末装置と、いずれかの前記第１端末装置から送信される前記地域情報と前記地域識別情報とを受信する情報受信手段と、第２端末装置を識別する端末識別情報に関連付けて１又は複数の地域識別情報を記憶する端末情報記憶手段と、前記受信された地域識別情報に基づいて前記端末情報記憶手段より読み出される端末識別情報により識別される１又は複数の第２端末装置に、前記受信された地域情報を配信する情報配信手段と、を備える地域情報配信装置と、を含む地域情報配信システムであって、前記第１端末装置は、前記第１端末装置の現在位置を示す端末現在位置情報を取得する現在位置情報取得手段を含み、前記情報送信手段は、前記現在位置情報取得手段により取得される１又は複数の端末現在位置情報を含む端末所在情報をさらに送信し、前記情報受信手段は、前記情報送信手段により送信される端末所在情報をさらに受信し、前記地域情報配信装置は、前記受信された地域識別情報と前記受信された端末所在情報に含まれるいずれかの端末現在位置情報とに基づいて、前記受信された地域情報の信頼性を判定する信頼性判定手段を含み、前記情報配信手段は、前記信頼性判定手段による判定結果に基づいて、前記受信された地域情報の配信を制御することを特徴としている。
【０００９】
また、本発明に係る地域情報配信装置は、いずれかの第１端末装置から送信されるいずれかの地域に係る地域情報と該地域を識別する地域識別情報とを受信する情報受信手段と、第２端末装置を識別する端末識別情報に関連付けて１又は複数の位置情報を記憶する端末情報記憶手段と、前記受信された地域識別情報に基づいて前記端末情報記憶手段より読み出される端末識別情報により識別される１又は複数の第２端末装置に、前記受信された地域情報を配信する情報配信手段と、を備える地域情報配信装置であって、前記情報受信手段は、前記第１端末装置の現在位置を示す１又は複数の端末現在位置情報を含む端末所在情報をさらに受信し、前記受信された地域識別情報と前記受信された端末所在情報に含まれるいずれかの端末現在位置情報とに基づいて、前記受信された地域情報の信頼性を判定する信頼性判定手段を含み、前記情報配信手段は、前記信頼性判定手段による判定結果に基づいて、前記受信された地域情報の配信を制御することを特徴としている。
【００１０】
また、本発明に係る端末装置は、地域情報配信装置にいずれかの地域に係る地域情報と該地域を識別する地域識別情報とを送信する情報送信手段を備える端末装置であって、前記端末装置の現在位置を示す現在位置情報を取得する現在位置情報取得手段を含み、前記情報送信手段は、前記地域情報に関連付けて、前記位置情報取得手段により取得される１又は複数の現在位置情報を含む端末所在情報をさらに送信することを特徴としている。
【００１１】
また、本発明に係る地域情報配信制御方法は、第１端末装置からいずれかの地域に係る地域情報と該地域を識別する地域識別情報とを取得する情報取得ステップと、第２端末装置を識別する端末識別情報に関連付けて１又は複数の地域識別情報を端末情報記憶手段に記憶させるステップと、前記取得された地域識別情報に基づいて前記端末情報記憶手段から読み出される端末識別情報により識別される１又は複数の第２端末装置に、前記取得された地域情報を配信する情報配信ステップと、を備える地域情報配信制御方法であって、第１端末装置の現在位置を示す端末現在位置情報を取得する現在位置情報取得ステップと、前記情報取得ステップにおいて取得された地域識別情報と前記現在位置情報取得ステップにおいて取得された１又は複数の端末現在位置情報とに基づいて、前記情報取得ステップにおいて取得された地域情報の信頼性を判定する信頼性判定ステップと、を含み、前記情報配信ステップは、前記信頼性判定ステップにおける判定結果に基づいて、前記情報取得ステップにおいて取得された地域情報の配信を制御することを特徴としている。
【００１２】
本発明では、第１端末装置のユーザそれぞれが地域情報を入力し、地域情報配信装置に対して当該地域情報を地域情報配信装置に送信（アップロード）する。第１端末装置から送信される地域情報には、その地域情報に係る地域を識別するための地域識別情報が付されている。また、当該地域情報に加えて、端末所在情報がさらに送信される。端末所在情報には、第１端末装置が所定のタイミングで取得する第１端末装置の現在位置を示す端末現在位置情報が１又は複数含まれている。端末所在情報によれば、実際に第１端末装置がいつどの地域に所在していたのかを特定することができる。地域情報配信装置は、第１端末装置から送信される地域情報、地域識別情報及び端末所在情報を受信する。地域情報配信装置は、受信された地域識別情報と受信された端末所在情報に含まれるいずれかの端末現在位置情報とに基づいて、受信された地域情報の信頼性（内容の確からしさ）を判定する。そして、当該判定結果に基づいて、１又は複数の第２端末装置に対する当該地域情報の配信を制御する。
【００１３】
本発明によれば、端末装置のユーザそれぞれから地域情報の提供を受けることができる。また、ユーザから提供された地域情報についてその内容の信頼性を判定した上で、当該地域情報の配信を適切に制御することができる。これにより、情報の信頼性と情報の地域網羅性を兼ね備えた地域情報の配信を行うことが可能となる。
【００１４】
また、本発明の一態様では、前記信頼性判定手段は、前記受信された地域識別情報と前記受信された端末所在情報に含まれるいずれかの端末現在位置情報とが対応するか否かに応じて、前記受信された地域情報の信頼性を判定する。こうすれば、例えば、ユーザから提供された地域情報に係る地域識別情報により識別される地域と端末装置が取得したいずれかの端末現在位置情報により特定される地域とが一致するか否か、又は隣接関係にあるか否か等に応じて、受信された地域情報の信頼性を判定することができるようになる。
【００１５】
また、本発明の一態様では、前記端末所在情報は、前記各端末現在位置情報に関連付けて、該端末現在位置情報が取得された時刻を示す端末時刻情報をさらに含み、前記情報送信手段は、前記地域情報に係る時刻情報をさらに送信し、前記情報受信手段は、前記情報送信手段により送信される時刻情報をさらに受信し、前記信頼性判定手段は、前記受信された地域識別情報と時刻情報の組み合わせと前記受信された端末所在情報に含まれる端末現在位置情報と端末時刻情報のいずれかの組み合わせとが対応するか否かに応じて、前記受信された地域情報の信頼性を判定する。こうすれば、例えば、ユーザから提供された地域情報に係る時刻情報と端末装置が取得したいずれかの端末時刻情報とが一致するか否か、又は両者の時間差が所定時間未満であるか否か等に応じて、受信された地域情報の信頼性を判定することができるようになる。
【００１６】
また、本発明の一態様では、前記情報配信手段は、前記信頼性判定手段により前記地域情報の信頼性が所定閾値以上であると判定される場合に、該地域情報を配信する。こうすれば、ユーザから提供された地域情報の中で信頼性の低いもの（誤った情報や偽の情報）については配信を制限し、信頼性の高い地域情報だけを配信することができるようになる。
【００１７】
また、本発明の一態様では、前記情報配信手段は、前記受信された地域情報とともに前記信頼性判定手段により判定される該地域情報の信頼性を示す信頼性情報を配信する。こうすれば、地域情報の配信を受けたユーザが、当該地域情報の信頼性を把握することができるため、誤った情報や偽の情報を正しい情報であると誤認識する可能性が低くなる。
【発明を実施するための最良の形態】
【００１８】
以下、本発明の実施の形態を図面に基づいて説明する。図１は、本発明の実施の形態に係る地域情報配信システム１００の全体構成を示す図である。同図に示すように、地域情報配信システム１００は、複数の端末装置１０，２０、複数の基地局装置３０及び地域情報配信装置４０を含んで構成されている（同図には、簡単のために３台の端末装置と３台の基地局装置のみを示している）。端末装置１０，２０は、携帯電話やＰＨＳ等の移動体通信装置である。また、端末装置１０は、地域情報配信装置４０に災害情報、天気情報、渋滞情報等の特定地域に関する情報（以下、地域情報）を登録（アップロード）する装置であり、携帯装置２０は、地域情報配信装置４０から地域情報の配信を受ける装置である。基地局装置３０は、自局の無線エリア内に属する端末装置１０，２０それぞれと無線伝送路を介して接続される。また、基地局装置３０は、通信ネットワーク５０を介して他の基地局装置３０と相互に接続されるとともに、地域情報配信装置４０とも接続されている。
【００１９】
図２は、端末装置１０の機能ブロック図である。同図に示すように、端末装置１０は、
制御部６０、入力部６１、表示部６２、記憶部６３、現在位置情報取得部６４、情報送受信部６５、アンテナ６６を含んで構成される。端末装置１０は、ユーザから地域情報の入力を受け付け、当該地域情報をその付属情報とともに地域情報配信装置４０にアップロードする。以下、端末装置１０の各構成要素を詳細に説明する。
【００２０】
制御部６０は、入力部６１、表示部６２、記憶部６３、現在位置情報取得部６４及び情報送受信部６５と接続され、端末装置１０全体の制御を行う。制御部６０は、ＣＰＵ（Central Processing Unit：中央処理装置）及びＲＡＭ（Random Access Memory）等から構成される。
【００２１】
入力部６１は、テンキー、十字キー、決定キー及び削除キーを含んで構成され、ユーザが数字、英字、記号、平仮名、片仮名や漢字等の文字を入力したり、端末装置１０に係る各種操作を行ったりするために用いられる。ユーザは、入力部６１より地域情報及び当該地域情報の付属情報（当該地域情報に係る地域を識別する地域ＩＤ、当該地域情報を取得等した時刻）を入力する。ユーザにより入力されるこれらの情報は制御部６０に出力される。なお、地域ＩＤは、郵便番号や地域名称であってもよいし、地域を識別するために地域情報配信システム１００内で独自に定められた識別番号等であってもよい。また、入力部６１より入力される地域情報は、文字情報に限らず、音声、静止画、動画等であってもよい。
【００２２】
表示部６２は、液晶ディスプレイを備え、制御部６０の指示に従って、入力部６１から入力される文字列や画像その他の情報を液晶ディスプレイに表示する。
【００２３】
記憶部６３は、ＲＡＭやＲＯＭ（Read Only Memory）を含んで構成され、制御部６０が実行する制御処理プログラムや後述する端末現在位置情報等を記憶する。
【００２４】
現在位置情報取得部６４は、端末装置１０の現在位置を示す端末現在位置情報を取得する。現在位置情報取得部６４は、基地局装置３０が報知チャネル（ＢＣＣＨ：Broadcasting Control Channel）にて送信する信号を定期的に受信し、当該信号に含まれる基地局装置３０の基地局ＩＤ及び／又はセクタＩＤを端末現在位置情報として取得する。図１に示す状況下では、端末装置１０は基地局装置３０ｃの無線エリアＣに属しているため、現在位置情報取得部６４は、少なくとも基地局装置３０ｃからの報知チャネルを受信し、基地局装置３０ｃの基地局ＩＤ及び／又は無線エリアＣにおける端末装置１０の属するセクタのセクタＩＤを取得することになる。
【００２５】
現在位置情報取得部６４により取得された端末現在位置情報（基地局ＩＤ及び／又はセクタＩＤ）は、図４に示すように、基地局装置３０の報知チャネルにおける信号を受信した時刻及びその受信レベル（ＲＳＳＩ：Receive Signal Strength Indication）に関連付けて記憶部６３に記憶される。同図は、同一時刻に３つの異なる基地局装置３０から信号を受信した場合を示している。これらの情報によれば、実際に端末装置１０がいつどの地域に所在していたのかを確実に特定することができる。なお、端末現在位置情報として、上記基地局ＩＤやセクタＩＤ以外の情報（例えば、ＧＰＳ（Global
Positioning System）機能を搭載した端末装置１０において、当該機能により取得される端末装置１０の緯度及び経度情報）を用いるようにしてもよい。
【００２６】
情報送受信部６５は、制御部６０を介して入力部６１より入力される地域情報及びその付属情報（地域ＩＤ、時刻）を地域情報配信装置４０に対して送信する。図５は、情報送受信部６５により送信される地域情報及びその付属情報の一例を示す図である。また、情報送受信部６５は、当該地域情報等に関連付けて、端末所在情報をさらに送信する。端末所在情報には、記憶部６３に記憶される１又は複数の端末現在位置情報（基地局ＩＤ及び／又はセクタＩＤ）及び端末時刻情報（当該端末現在位置情報を含む信号を受信した時刻）が含まれる。図６は、情報送受信部６５により送信される端末所在情報の一例を示す図である。これらの情報は、後述するように、地域情報配信装置４０において地域情報の信頼性を判定するために必要となる情報である。
【００２７】
さらに、情報送受信部６５は、地域情報配信装置４０から地域情報配信処理に関する各種情報を受信する。例えば、端末装置１０から送信された情報を正常に受け取った旨の通知や、地域ＩＤを複数含む最新の地域ＩＤ一覧データ等を受信する。
【００２８】
アンテナ６６は、情報送受信部６５と接続されており、情報送受信装置６５から入力される送信情報に応じた無線信号を基地局装置３０に送信する。また、基地局装置３０からの無線信号を受信し、情報送受信部６５に出力する。
【００２９】
図３は、地域情報配信装置４０の機能ブロック図である。同図に示すように、地域情報配信装置４０は、情報受信部７０、信頼性判定部７２、端末情報記憶部７４、情報配信部７６を含んで構成され、物理的にはＣＰＵ、メモリ及びハードディスク等の記憶装置及び通信装置を備えるコンピュータである。地域情報配信装置４０は、端末装置１０からアップロードされる地域情報等を受信し、その信頼性を確認した後に、当該地域情報を予め登録された複数の端末装置２０に配信する。以下、地域情報配信装置４０の各構成要素を詳細に説明する。
【００３０】
情報受信部７０は、端末装置１０の情報送受信部６５から送信される地域情報及びその付属情報（地域ＩＤ、時刻）と、当該地域情報に関連付けて送信される端末所在情報と、を受信し、信頼性判定部７２に出力する。
【００３１】
信頼性判定部７２は、情報受信部７０にて受信された地域情報の付属情報（地域ＩＤ、時刻）と端末所在情報とに基づいて、情報受信部７０にて受信された地域情報の信頼性（内容の確からしさ）を判定する。具体的には、当該地域情報の付属情報に含まれる地域ＩＤと時刻の組み合わせと、当該端末所在情報に含まれるいずれかの端末現在位置情報（基地局ＩＤ及び／又はセクタＩＤ）と端末時刻情報（当該端末現在位置情報を含む信号を受信した時刻）との組み合わせと、が対応するか否かに応じて、当該地域情報の信頼性を判定する。
【００３２】
例えば、信頼性判定部７２は、当該地域情報に係る地域ＩＤと基地局ＩＤ及び／又はセクタＩＤとが実質的に同一の地域を指しており、かつ、当該地域情報に係る時刻と端末所在情報に含まれる時刻との差が所定時間未満である場合に、当該地域情報の信頼性は１００％であると判定する。また、地域が隣接関係にあってかつ時刻が対応する場合は信頼性７５％、地域又は時刻のいずれか一方が対応する場合は信頼性５０％、いずれも対応しない場合は信頼性０％と判定する。こうすれば、ユーザが入力及びアップロードした地域情報が当該ユーザ（端末装置１０）が過去実際に所在した地域及び時刻に関連する情報であるか否かに応じて、当該地域情報の内容の確からしさを判定することができ、誤った情報や偽の情報を検出することが可能となる。なお、ここでは、地域及び時刻の２種類の判定条件で地域情報の信頼性を判定する例を示したが、地域又は時刻のいずれか一方のみで信頼性を判定するようにしてもよいし、さらに別の条件を付加してより厳密な判定を行うようにしてもよい。また、地域ＩＤと端末所在情報に含まれる端末現在位置情報との対応関係に基づく上記信頼性の判定は、両者の正しい対応関係を予めテーブル等に記憶しておき、その記憶内容に従って行うようにしてもよい。
【００３３】
端末情報記憶部７４は、図７に示すように、端末装置２０を識別する端末ＩＤに関連付けて１又は複数の地域ＩＤを記憶している。これは、どの地域に係る情報がアップロードされた場合にどの端末装置２０に当該情報を配信するべきかという対応関係を定めたものであり、後述する情報配信部７６は、端末情報記憶部７４に従って地域情報の配信を行う。図７に基づいて説明すると、地域ＩＤがＸＸＸ−ＸＸＸＸである地域に係る地域情報がアップロードされた場合、情報配信部７６は、端末ＩＤがＡＡＡＡＡＡＡＡとＢＢＢＢＢＢＢＢである端末装置２０に当該地域情報を配信する。
【００３４】
情報配信部７６は、情報受信部７０にて受信された地域情報の付属情報に含まれる地域ＩＤに基づいて端末情報記憶部７４より端末ＩＤを読み出すとともに、当該端末ＩＤにより識別される１又は複数の端末装置２０に対して、当該地域情報を配信する。このとき、情報配信部７６は、信頼性判定部７２による地域情報の判定結果に基づいて、当該地域情報の配信を制御する。
【００３５】
例えば、情報配信部７６は、信頼性判定部７２において信頼性が５０％以上であると判定される地域情報については配信を行い、信頼性が５０％未満であると判定される地域情報については配信を制限する。こうすれば、ユーザがアップロードした地域情報の中で信頼性の低いもの（誤った情報や偽の情報）ついては配信を制限し、信頼性の高い地域情報だけを配信することができるようになる。
【００３６】
また、情報配信部７６は、情報受信部７０にて受信された地域情報とともに、信頼性判定部７２において判定された信頼性を示す信頼性情報（例えば、信頼性：１００％）を配信するようにしてもよい。こうすれば、地域情報の配信を受けたユーザが、当該地域情報の信頼性を把握することができるため、誤った情報や偽の情報を正しい情報であると誤認識する可能性が低くなる。なお、地域情報の配信には、例えば、メール送信や、ＨＴＴＰ（Hyper Text Transfer Protocol）等の通信プロトコルを利用した他の配信方法を用いることができる。
【００３７】
次に、本発明の実施の形態に係る地域情報配信処理を、図８のシーケンス図に基づいて説明する。
【００３８】
端末装置１０において、現在位置情報取得部６４は、基地局装置３０が報知チャネルにて送信する信号を定期的に受信し、当該信号に含まれる基地局装置３０の基地局ＩＤ及びセクタＩＤを端末現在位置情報として取得している（Ｓ２００）。ここで取得された端末現在位置情報は、当該端末現在位置情報を含む信号を受信した時刻等に関連付けて記憶部６３に記憶される。
【００３９】
ここで、ユーザがある地域及び時刻にてあるイベントに遭遇し、端末装置１０の入力部６１から、当該イベントに係る情報（地域情報）、当該イベントが発生した地域の地域ＩＤ及びイベント発生時刻の入力を開始したとする（Ｓ２０２）。このとき、ユーザは、端末装置１０が予め地域情報配信装置４０から受信しておいた最新の地域ＩＤ一覧データの中から当該イベントに係る地域ＩＤを選択することにより、上記地域ＩＤの入力を行う。
【００４０】
ユーザが地域情報等の入力を完了しアップロードに係る操作を行うと、制御部６０は、入力部６１から入力された地域情報及びその付属情報（地域ＩＤ、時刻）を情報送受信部６５に出力する。また、制御部６０は、記憶部６３から１又は複数の端末現在位置情報（基地局ＩＤ、セクタＩＤ）及び時刻の組み合わせを読み出すとともに、それらの情報を含む端末所在情報を生成し（Ｓ２０４）、当該端末所在情報をさらに情報送受信部６５に出力する。
【００４１】
情報送受信部６５は、制御部６０から入力された地域情報及びその付属情報（地域ＩＤ、時刻）と制御部６０から入力された端末所在情報とを関連付けて、地域情報配信装置４０に送信する（Ｓ２０６）。
【００４２】
地域情報配信装置４０において、情報受信部７０は、端末装置１０の情報送受信部６５により送信された地域情報及びその付属情報（地域ＩＤ、時刻）と端末所在情報とを受信する（Ｓ２０８）。
【００４３】
信頼性判定部７２は、Ｓ２０８において受信された地域情報の付属情報（地域ＩＤ、時刻）と端末所在情報とに基づいて、Ｓ２０８において受信された地域情報の信頼性を判定する（Ｓ２１０）。具体的には、当該地域情報の付属情報に含まれる地域ＩＤと時刻の組み合わせと、当該端末所在情報に含まれるいずれかの端末現在位置情報（基地局ＩＤ、セクタＩＤ）と時刻との組み合わせと、が対応するか否かに応じて、当該地域情報の信頼性を判定する。
【００４４】
Ｓ２１０において地域情報の信頼性が所定閾値未満であると判定されると、当該地域情報の配信は行わず処理を終了する（図示せず）。一方、Ｓ２１０において地域情報の信頼性が所定閾値以上であると判定されると、情報配信部７６は、Ｓ２０８にて受信された地域情報の付属情報に含まれる地域ＩＤに基づいて端末情報記憶部７４より端末ＩＤを読み出すことにより、Ｓ２０８にて受信された地域情報等の配信先を取得するとともに（Ｓ２１２）、当該端末ＩＤにて識別される１又は複数の端末装置２０に対して、当該地域情報等を配信する（Ｓ２１４）。
【００４５】
端末装置２０は、地域情報配信装置４０の情報配信部７６により配信された地域情報等を受信する（Ｓ２１６）。そして、Ｓ２１６にて受信された地域情報等を表示部に表示する（Ｓ２１８）。このようにして、端末装置１０からアップロードされる地域情報のうち信頼性の高い地域情報だけが、１又は複数の端末装置２０に配信される。
【００４６】
以上に述べた地域情報配信システム、地域情報配信装置、端末装置及び地域情報配信制御方法によれば、情報の信頼性と情報の地域網羅性を兼ね備えた地域情報の配信を行うことができる。
【００４７】
なお、本発明は、上記実施の形態に限定されるものではない。
【００４８】
例えば、本発明は、地域情報配信装置と基地局装置とが通信ネットワークを介して接続された構成だけでなく、基地局装置内に上記地域情報配信装置の機能を備えた構成を持つシステムにも適用可能である。かかる構成を持つ地域情報配信システムによれば、電源を備えた基地局装置同士が相互に無線チャネルを通じて地域情報の送受信を行うことにより、通信ネットワークが正常に機能しない非常時においても地域情報の配信を継続することができる。
【００４９】
また、本発明における端末装置は、携帯電話やＰＨＳ等の移動体通信装置だけでなく、通信機能を備えた携帯情報端末（ＰＤＡ：Personal Digital Assistant）等によっても実現可能である。
【００５０】
さらに、上記実施の形態では、地域情報配信装置が、端末装置から受信した地域情報をそのまま他の端末装置に配信する例を示したが、受信した地域情報を記憶装置に蓄積させておき、当該地域情報をいつでも自由に閲覧できるようにしてもよい。
【図面の簡単な説明】
【００５１】
【図１】本発明の実施の形態に係る地域情報配信システムの構成図である。
【図２】本発明の実施の形態に係る端末装置の機能ブロック図である。
【図３】本発明の実施の形態に係る地域情報配信装置の機能ブロック図である。
【図４】端末装置の記憶部に記憶される端末現在位置情報等の一例を示す図である。
【図５】端末装置から送信される地域情報及びその付属情報の一例を示す図である。
【図６】端末装置から送信される端末所在情報の一例を示す図である。
【図７】地域情報配信装置における端末情報記憶部の一例を示す図である。
【図８】地域情報配信処理を示すシーケンス図である。
【符号の説明】
【００５２】
１０，２０  端末装置、３０  基地局装置、４０  地域情報配信装置、５０  通信ネットワーク、６０  制御部、６１  入力部、６２  表示部、６３  記憶部、６４  現在位置情報取得部、６５  情報送受信部、６６  アンテナ、７０  情報受信部、７２  信頼性判定部、７４  端末情報記憶部、７６  情報配信部、１００  地域情報配信システム。
【図１】
2007300168.tif 000003
【図２】
2007300168.tif 000004
【図３】
2007300168.tif 000005
【図４】
2007300168.tif 000006
【図５】
2007300168.tif 000007
【図６】
2007300168.tif 000008
【図７】
2007300168.tif 000009
【図８】
2007300168.tif 000010